(57)【特許請求の範囲】
【請求項１】
天井下地材の一部を構成する野縁を、前記野縁の上側で前記野縁と交差して配置された野縁受けに対して支持するクリップを補強するクリップ補強部材であって、
前記クリップの前記野縁受けに係止された係止爪の付け根部に上方から当接可能な天板と、
前記天板より下方へ屈曲され、前記野縁受け及び前記クリップを挟むように配置される挟み板と、を備え、
前記挟み板の下部側には、前記野縁の幅方向に突出し、前記野縁のリップ壁に係合可能な一対のリップ突起が形成されていることを特徴とするクリップ補強部材。
【請求項２】
前記天板は、その長手方向が前記野縁受けの長手方向に沿うように配置され、
前記挟み板は、前記天板の長手方向に延びる端部から屈曲形成され、前記挟み板の野縁受け側の主面によって前記野縁受け及び前記クリップを挟むように配置されることを特徴とする請求項１記載のクリップ補強部材。
【請求項３】
前記リップ突起は、外側に屈曲され前記リップ壁に係合可能な屈曲片を有していることを特徴とする請求項２記載のクリップ補強部材。
【請求項４】
前記天板は、その長手方向が前記野縁受けの長手方向と交差するように配置され、
前記挟み板は、前記天板の長手方向に延びる端部から屈曲形成され、
前記挟み板には、前記野縁受け及び前記クリップを挿通可能な切欠き部が形成されていることを特徴とする請求項１記載のクリップ補強部材。
【請求項５】
天井下地材の一部を構成する係合部材セットであって、
断面略コ字状を成しその開放端部から内方へ屈曲された一対のリップ壁を備え前記開放端部が上向きとなるように配置される野縁と、
断面略コ字状を成しその開放端部が横向きとされ前記野縁の上側で前記野縁と交差して配置される野縁受けと、
前記野縁受けの上側の開放端部に係止される係止爪を有し前記野縁受けに対して前記野縁を支持するクリップと、
前記クリップを補強するクリップ補強部材と、を具備し、
前記クリップ補強部材は、
前記係止爪の付け根部に上方から当接可能な天板と、
前記天板より下方へ屈曲され、前記野縁受け及び前記クリップを挟むように配置された挟み板と、を備え、
前記挟み板の下部側には、前記野縁の幅方向に突出し、前記野縁のリップ壁に係合可能な一対のリップ突起が形成されていることを特徴とする係合部材セット。
【発明の詳細な説明】
【技術分野】
【０００１】
本発明は、天井下地材の一部を構成するクリップを補強するクリップ補強部材及び係合部材セットに関する。
【背景技術】
【０００２】
従来から、建築物の天井パネル等を支持する天井下地材が知られている（例えば、非特許文献１参照）。図１は、従来（既設）の天井下地材を示す斜視図である。天井下地材１０１は、水平方向に延在し互いに交差して配置された野縁２及び野縁受け３を備え、野縁２は、野縁受け３に係止されたクリップ４によって上方から支持されている。野縁２及び野縁受け３の断面形状は、コ字状を成し、野縁２は、その開放端部２ｃが上向きとなるように配置され、野縁受け３は、その開放端部３ｂが横向きとなるように配置されている。また、野縁２の開放端部２ｃには、内方へ屈曲されたリップ壁２ｄが形成されている。クリップ４は、その上部に野縁受け３の上側の開放部３ｂに引っ掛けられ開放端部３ｂの下方へ屈曲された係止爪４ａ（図４参照）を有し、係止爪４ａの付け根部４ｂは、野縁受け３の上側の開放端部３ｂ上に配置されている。クリップ４の上下方向の中央部には、野縁受け３の一方の側に沿って上下方向に延在するプレート部４ｃが形成され、このプレート部４ｃの幅は、下部側が上部側に比して細くなっている。また、クリップ４の下部には、野縁２のリップ壁２ｄに係合する突起部４ｄが形成されている。そして、野縁２は、クリップ４を介して、野縁受け３に上方から支持されている。
【非特許文献１】日本規格協会、「建築用鋼製下地材（壁・天井）Ａ６５１７」
【発明の開示】
【発明が解決しようとする課題】
【０００３】
近年、建築物の耐震強度に対する関心が高まるとともに、天井下地材１０１の耐震性能の向上が望まれている。地震等によって強い振動が発生した場合には、天井下地材１０１が変形してしまう虞がある。具体的には、激しい揺れにより、野縁受け３の横方向（図示Ｙ軸方向）への倒れ、座屈等が発生する虞がある。また、クリップ４に過度の力が発生し、爪部４ａが上方へ開くように変形したり、突起部４ｄが変形したりする虞がある。
【０００４】
本発明は、このような課題を解決するために成されたものであり、取り付けが容易とされ、天井下地材の変形の防止を図ることが可能なクリップ補強部材及び係合部材セットを提供することを目的とする。
【課題を解決するための手段】
【０００５】
本発明によるクリップ補強部材は、天井下地材の一部を構成する野縁を、野縁の上側で野縁と交差して配置された野縁受けに対して支持するクリップを補強するクリップ補強部材であって、クリップの野縁受けに係止された係止爪の付け根部に上方から当接可能な天板と、天板より下方へ屈曲され、野縁受け及びクリップを挟むように配置される挟み板と、を備え、挟み板の下部側には、野縁の幅方向に突出し、野縁のリップ壁に係合可能な一対のリップ突起が形成されていることを特徴としている。
【０００６】
また、本発明による係合部材セットは、天井下地材の一部を構成する係合部材セットであって、断面略コ字状を成しその開放端部から内方へ屈曲された一対のリップ壁を備え開放端部が上向きとなるように配置される野縁と、断面略コ字状を成しその開放端部が横向きとされ野縁の上側で野縁と交差して配置される野縁受けと、野縁受けの上側の開放端部に係止される係止爪を有し野縁受けに対して野縁を支持するクリップと、クリップを補強するクリップ補強部材と、を具備し、クリップ補強部材は、係止爪の付け根部に上方から当接可能な天板と、天板より下方へ屈曲され、野縁受け及び前記クリップを挟むように配置された挟み板と、を備え、挟み板の下部側には、野縁の幅方向に突出し、野縁のリップ壁に係合可能な一対のリップ突起が形成されていることを特徴としている。
【０００７】
このようなクリップ補強部材、係合部材セットによれば、装着されたクリップの上方から係止爪の付け根部を覆うようにクリップ補強部材を装着させることができ、一対のリップ突起を野縁のリップ壁に係合させることができる。これにより、簡単にクリップ補強部材を既設の天井下地材に対して装着させることができる。この状態で、クリップ補強部材の天板は、野縁受けに係止されたクリップの係止爪の付け根部に対して上方から当接可能な位置に配置される。これにより、係止爪の動きを上方から拘束することが可能となり、クリップに対して衝撃が加わった場合にあっても、クリップの係止爪及び係止爪の付け根部の変形を防止することできる。また、クリップ補強部材の挟み板は、天板より下方へ屈曲され、野縁受け及びクリップを挟むように配置される。これにより、クリップの動きを拘束することができ、野縁受けと離間する方向へのクリップの移動を防止することができる。更に、クリップ補強部材の挟み板は、野縁受けの両側で上下方向に延在し、リップ突起は野縁に係合される。これにより、クリップのみで野縁を支持する場合に比して、確実に野縁を支持することができると共にクリップに作用する負荷を分散することができ、クリップの変形を防止することができる。例えば、クリップに形成され野縁のリップ突起に係合される突出部等に作用する負荷を低減することができるため、クリップにおける応力集中部における変形を防止することができる。
【０００８】
ここで、上記作用を奏する好ましい構成としては、天板は、その長手方向が野縁受けの長手方向に沿うように配置され、挟み板は、天板の長手方向に延びる端部から屈曲形成され、挟み板の野縁受け側の主面によって野縁受け及びクリップを挟むように配置される構成が挙げられる。これにより簡素な構造で、確実にクリップを補強することができる。
【０００９】
また、リップ突起は、外側に屈曲されリップ壁に係合可能な屈曲片を有していることが好ましい。これにより、クリップ補強部材を確実に野縁に係合させることが可能なり、野縁及び野縁受けの結合をより強固にすることができる。屈曲片は、野縁の長手方向に屈曲されているため、可撓性を有し、クリップ補強部材を装着する際には、屈曲片を一時変形させた後にリップ壁に係合させることができる。このように、屈曲片による復元力を利用することで、スプリングバック効果を利用して、クリップ補強部材を確実にリップ壁に係合させることができる。また、屈曲片が可撓性を有しているため、クリップ、野縁受け、野縁等の寸法のバラツキに対応させて、クリップ補強部材を確実に取付けることができる。
【００１０】
また、天板は、その長手方向が野縁受けの長手方向と交差するように配置され、挟み板は、天板の長手方向に延びる端部から屈曲形成され、挟み板には、野縁受け及びクリップを挿通可能な切欠き部が形成されている構成としても良い。
【発明の効果】
【００１１】
本発明のクリップ補強部材及び係合部材セットによれば、取り付けが容易とされると共に、天井下地材の変形の防止を図ることが可能となり、耐震強度を向上させて天井下地材に取付けられた天井パネル等の脱落の虞を低減させることができる。
【発明を実施するための最良の形態】
【００１２】
以下、本発明によるクリップ補強部材を備えた天井下地材（係合部材セット）の好適な実施形態について図面を参照しながら説明する。なお、図面の説明において、同一または相当要素には同一の符号を付し、重複する説明は省略する。また、説明の便宜上、野縁受けの延在方向（長手方向）をＸ軸方向、野縁の延在方向（長手方向）をＹ軸方向、Ｘ軸方向及びＹ軸方向に対して直交する方向をＺ軸方向として説明する。図１は、本発明のクリップ補強部材を装着する前の状態を示す天井下地材の斜視図、図２は、クリップ補強部材を装着した後の状態を示す天井下地材の斜視図、図３〜図６は、図２中のクリップ補強部材を示す各図である。
【００１３】
本発明の第１実施形態の天井下地材１は、建築物の天井パネル（不図示）等を上方から支持するものであり、図１に示すように、天井パネルが取付けられる野縁（例えば、ダブル野縁）２と、この野縁２の上方に配置されて野縁２を支持する野縁受け３と、野縁２を野縁受け３に対して係止させるクリップ（例えば、ダブルクリップ）４と、を備え、野縁２及び野縁受け３は、水平方向に延在し互いに直交する方向に延在している。
【００１４】
野縁２は、断面略コ字状を成し、Ｙ軸方向に延びるベース板２ａと、このベース板２ａの両側縁部から立設され互いに対面する一対の側壁２ｂ，２ｂと、この一対の側壁２ｂ，２ｂのベース板２ａとは反対側の端部（開放端部）２ｃ，２ｃから内方へ屈曲された一対のリップ壁２ｄ，２ｄと、を具備している。また、野縁２は、開放端部２ｃが上向きとなるように配置され、リップ壁２ｄは、後述するリップ突起（屈曲片）５ｃを係止可能な構成とされている。
【００１５】
野縁受け（チャンネル）３は、断面略コ字状を成し、Ｘ軸方向に延びる平板状のプレート部３ａと、このプレート部３ａの両側縁部からＹ軸方向に立設され互いに対面する一対の対面壁部３ｂ，３ｂと、を具備している。そして、野縁受け３は、野縁２上に配置され、野縁受け３の下側の対面壁部３ｂが野縁２に当接している。
【００１６】
クリップ４は、野縁受け３の上側の対面壁部３ｂの下方へ屈曲された係止爪４ａ（図４参照）と、野縁受け３の上側の対面壁部３ｂ上に配置された付け根部４ｂと、この付け根部４ｂから下方に屈曲されてＺ軸方向（上下方向）に延びるプレート部４ｃと、このプレート部４ｃの下部に形成され野縁２のリップ壁２ｄに係合される突起部４ｄとを備えている。
【００１７】
ここで、本実施形態の天井下地材１は、図２に示すように、クリップ４を上方から覆うように配置され、クリップ４を補強するクリップ補強部材５を備えている。クリップ補強部材５は、断面略コ字状を成し、その開放端部が下方に向くように配置されている。このクリップ補強部材５は、図２〜図５に示すように、矩形状の天板５ａと、この天板５ａのＹ軸方向の両側の端部から屈曲形成され、Ｚ軸方向（下方）に延びる一対の挟み板５ｂと、を備え、挟み板５ｂの下端部には、Ｘ軸方向（野縁２の幅方向）に突出し、野縁２のリップ壁２ｄに係合するリップ突起５ｃが形成されている。
【００１８】
天板５ａは、クリップ４の係止爪の付け根部４ｂを覆うことが可能な大きさとされ、天板５ａの幅方向（Ｙ軸方向）の長さは、図４に示すように、野縁受け３及びクリップ４のＹ軸方向の寸法に対応している。
【００１９】
一対の挟み板５ｂは、天板５ａのＹ軸方向の両側の端部から下方へ屈曲されている。一対の挟み板５ｂのＹ軸方向における間隔は、下方に向かうにつれて広くなっている。また、挟み板５ｂの下部には、Ｙ軸方向から見て逆台形状の頂部５ｄがＸ軸方向に並設されている。
【００２０】
リップ突起５ｃは、板状を成し、頂部５ｄの斜辺からＹ軸方向における外側に向かうように屈曲形成されてバネ性を有している。また、リップ突起５ｃは、図５に示すように、Ｙ軸方向から見て、頂部５ｄの斜辺部からＸ軸方向に突出し、野縁２のリップ壁２ｄに係合可能な構成とされている。リップ突起５ｃと頂部５ｄとのなす角は、図６に示すように、Ｚ軸方向から見て鈍角θとなっていることが好ましい。
【００２１】
次に、このように構成されたクリップ補強部材５を、図１に示す既設の野縁２、野縁受け３及びクリップ４に対して、装着する方法について説明する。先ず、クリップ補強部材５の天板５ａの長手方向が野縁受け３の長手方向（Ｘ軸方向）に沿うようにクリップ補強部材５を配置する。そして、一対の挟み板５ｂのＹ軸方向の外側から摘んで、一対の挟み板５ｂを互いに接近させて、すぼめた後にクリップ補強部材５を、クリップ４の上方からクリップ補強部材５を押し込む。このとき、リップ突起５ｃが野縁２のリップ壁２ｄと接触して、内方へ弾性変形した後に、復元されてリップ突起５ｃがリップ壁２ｄと確実に係合する。このように、クリップ補強部材５を片手で摘んでワンタッチで容易に装着することができる。
【００２２】
そして、クリップ補強部材５が装着された状態では、天板５ａは、クリップ４の付け根部４ｂ上に配置され、一対の挟み板５ｂは、野縁受け３及びクリップ４をＹ軸方向から挟むように配置されている。また、クリップ補強部材５は、４箇所のリップ突起５ｃによって確実に野縁２に係合されている。
【００２３】
ここで、例えば地震等の振動を始めとした外的負荷が天井下地材１に作用した場合には、クリップ補強部材５によって、野縁２、野縁受け３及びクリップ４の動きを拘束することができ、これらの野縁２、野縁受け３及びクリップ４の変形を抑制することができる。その結果、耐震性能の向上が図られ、天井下地材１に取付けられた天井パネルの落下等を防止することができる。例えば、天井下地材１に衝撃が加わった場合にあっても、クリップ補強部材５の天板５ａがクリップ４の係止爪４ａの付け根部４ｂに対して上方から当接し、係止爪４ａの動きを上方から拘束することができる。このため、係止爪４ａ及びその付け根部４ｂの変形が防止されている。また、Ｙ軸方向における両側から野縁受け３及びクリップ４を挟んで配置された一対の挟み板５ｂを備えているため、一対の挟み板５ｂによって、野縁受け３及びクリップ４の動きをＹ軸方向から拘束することができる。また、一対の挟み板５ｂは、野縁受け３の幅方向における両側で上下方向に延在し、挟み板５ｂの下部に形成されたリップ突起５ｃは野縁２のリップ壁２ｄに係合されているため、クリップ４のみで野縁２を支持する場合に比して、確実に野縁を支持することができると共にクリップ４に作用する負荷を分散することができる。クリップ４に過度な負荷が作用することが防止されているため、クリップ４の突起部４ｄの変形等を防止することが可能である。
【００２４】
また、クリップ補強部材５は、Ｘ軸方向の断面が略コ字状を成し、下方に向かうにつれて、一対の挟み板５ｂの間隔が広くなっている。これにより、クリップ補強部材５を簡素な構造として、野縁受け３のサイズの違いやクリップ４の板厚の違いに対応させて、確実に野縁２の装着することができる。
【００２５】
クリップ補強部材５のリップ突起５ｃは、挟み板５ｂの下部側で野縁２の長手方向に屈曲された屈曲片であるため、可撓性を有しスプリングバック効果によりクリップ補強部材５を確実に野縁２のリップ壁２ｄに係合させることができる。その結果、野縁２及び野縁受け３の結合をより強固なものとすることができる。また、リップ突起５ｃは可撓性を有しているため、野縁２、野縁受け３の寸法のバラツキに対応させて、クリップ補強部材５を確実に取付けることができる。
【００２６】
次に、本発明の第２実施形態に係るクリップ補強部材１５を備えた天井下地材（係合部材セット）１１について、図１、図７〜図１０を参照しながら説明する。図７は、本発明の第２実施形態に係るクリップ補強部材を装着した後の状態を示す天井下地材の斜視図である。この第２実施形態の天井下地材１１が第１実施形態の天井下地材１と違う点は、天板５ａの長手方向がＸ軸方向（野縁受け３の長手方向）に延在するクリップ補強部材５に代えて、天板１５ａの長手方向がＹ軸方向（野縁２の長手方向）に延在するクリップ補強部材１５を備える点である。
【００２７】
クリップ補強部材１５は、矩形状の天板１５ａと、この天板１５ａのＸ軸方向の両側の端部から屈曲形成され、Ｚ軸方向（下方）に延びる一対の挟み板１５ｂと、を備え、挟み板１５ｂの下端部には、Ｘ軸方向（野縁２の幅方向）に突出し、野縁２のリップ壁２ｄに係合するリップ突起１５ｃが形成されている。
【００２８】
天板１５ａは、クリップ４の係止爪４ａの付け根部４ｂ上に配置され、天板１５ａの主面が付け根部４ｂの上面に当接して、クリップ４の上下方向の動きを拘束するものである。平面視において野縁受け３よりＹ軸方向に突出する部分が天板１５ａの突出部１５ｄとされている。
【００２９】
一対の挟み板１５ｂは、天板１５ａのＸ軸方向における両側の端部から下方へ屈曲されている。挟み板１５ｂのＹ軸方向における中央には、Ｘ軸方向に延在する野縁受け３を挿通させるための切欠き部１５ｅが形成されている。この切欠き部１５ｅに野縁受け３を挿通させ、切欠き部１５ｅの端部が野縁受け３又はクリップ４と当接することで、野縁受け３及びクリップ４のＹ軸方向への移動を拘束することができる。また、挟み板１５ｂのＹ軸方向における両側の端部の下部側は、下方に向かうにつれてＹ軸方向の中央へ傾斜する傾斜部１５ｆとされている。
【００３０】
リップ突起１５ｃは、板状を成し、挟み板１５ｂの傾斜部１５ｆから屈曲されてバネ性を有している。また、リップ突起１５ｃは、Ｘ軸方向に突出し、野縁２のリップ壁２ｄに係合可能な構成とされている。
【００３１】
また、リップ突起１５ｃの上方には、所定間隔離間して挟み板１５ｂのＹ軸方向の端部から屈曲されてＸ軸方向に延びる押さえ板１５ｇが形成されている。この押さえ板１５ｇとリップ突起１５ｃとの間に野縁２のリップ壁２ｄが配置され、リップ壁２ｄは、押さえ板１５ｇとリップ突起１５ｃとによって上下方向から挟まれてその動きが拘束される。
【００３２】
次に、このように構成されたクリップ補強部材１５を、図１に示す既設の野縁２、野縁受け３及びクリップ４に対して、装着する方法について説明する。先ず、クリップ補強部材１５の天板１５ａの長手方向が野縁受け３の長手方向と直交する方向（Ｙ軸方向）に沿うようにクリップ補強部材１５を配置する。そして、クリップ補強部材１５を、クリップ４の上方からクリップ補強部材１５を押し込む。このとき、リップ突起１５ｃが野縁２のリップ壁２ｄと接触して、挟み板１５ｂが内方へ弾性変形した後に復元されて、リップ突起１５ｃがリップ壁２ｄと確実に係合する。このように、クリップ補強部材５を片手で摘んでワンタッチで装着することができる。
【００３３】
そして、クリップ補強部材１５が装着された状態では、天板１５ａは、クリップ４の付け根部４ｂ上に配置され、一対の挟み板１５ｂは、切欠き部１５ｅ（野縁受け３側の端部）によって野縁受け３及びクリップ４をＹ軸方向から挟むように配置されている。また、クリップ補強部材１５は、４箇所のリップ突起５ｃによって確実に野縁２に係合されている。
【００３４】
ここで、例えば地震等の振動を始めとした外的負荷が天井下地材１１に作用した場合には、クリップ補強部材１５によって、野縁２、野縁受け３及びクリップ４の動きを拘束することができ、これらの野縁２、野縁受け３及びクリップ４の変形を抑制することができる。その結果、天井下地材１１に取付けられた天井パネルの落下等を防止することができる。例えば、耐震性能の向上が図られ、天井下地材１に衝撃が加わった場合にあっても、クリップ補強部材１５の天板１５ａがクリップ４の係止爪４ａの付け根部４ｂに対して上方から当接し、係止爪４ａの動きを上方から拘束することができる。このため、係止爪４ａ及びその付け根部４ｂの変形が防止されている。挟み板１５ｄに形成された切欠き部１５ｅよって、野縁受け３及びクリップ４の動きをＹ軸方向から拘束することができる。また、一対の挟み板５ｂは、野縁受け３の幅方向における両側で上下方向に延在し、挟み板５ｂの下部に形成されたリップ突起５ｃは野縁２のリップ壁２ｄに係合されているため、クリップ４のみで野縁２を支持する場合に比して、確実に野縁２を支持することができると共にクリップ４に作用する負荷を分散することができる。クリップ４に過度な負荷が作用することが防止されているため、クリップ４の突起部４ｄの変形等を防止することが可能である。
【００３５】
クリップ補強部材１５の一対の挟み板１５ｂは、天板１５ａより下方に屈曲形成されて可撓性を有しているため、スプリングバック効果により、リップ突起１５ｃを確実に野縁２のリップ壁２ｄに係合させることができる。その結果、野縁２及び野縁受け３の結合をより強固なものとすることができる。また、一対の挟み板１５ｂは可撓性を有しているため、野縁２、野縁受け３の寸法のバラツキに対応させて、クリップ補強部材１５を確実に取付けることができる。
【００３６】
以上、本発明をその実施形態に基づき具体的に説明したが、本発明は、上記実施形態に限定されるものではない。上記実施形態において、クリップ補強部材５，１５をダブル野縁２に装着されたダブルクリップ４を補強する構成としているが、クリップ補強部材をシングル野縁に装着されたシングルクリップを補強する構成としても良い。
【図面の簡単な説明】
【００３７】
【図１】本発明のクリップ補強部材を装着する前の状態を示す天井下地材の斜視図である。
【図２】本発明の第１実施形態に係るクリップ補強部材を装着した後の状態を示す天井下地材の斜視図である。
【図３】図２中のクリップ補強部材の斜視図である。
【図４】図３に示すクリップ補強部材の正面図である。
【図５】図３に示すクリップ補強部材の側面図である。
【図６】図３に示すクリップ補強部材の底面図である。
【図７】本発明の第２実施形態に係るクリップ補強部材を装着した後の状態を示す天井下地材の斜視図である。
【図８】図７中のクリップ補強部材の斜視図である。
【図９】図８に示すクリップ補強部材の正面図である。
【図１０】図８に示すクリップ補強部材の側面図である。
【符号の説明】
【００３８】
１、１１…天井下地材（係合部材セット）、２…野縁、２ｄ…リップ壁、３…野縁受け、４…クリップ、４ａ…係止爪、４ｂ…係止爪の付け根部、５，１５…クリップ補強部材、５ａ，１５ａ…天板、５ｂ，１５ｂ…挟み板、５ｃ…リップ突起（屈曲片），１５ｃ…リップ突起、１５ｅ…切欠き部。
【図１】
0004834454.tif 000002
【図２】
0004834454.tif 000003
【図３】
0004834454.tif 000004
【図４】
0004834454.tif 000005
【図５】
0004834454.tif 000006
【図６】
0004834454.tif 000007
【図７】
0004834454.tif 000008
【図８】
0004834454.tif 000009
【図９】
0004834454.tif 000010
【図１０】
0004834454.tif 000011